(57)【要約】本発明は動物用の飼料を調合するための装置に関し、本装置は、少なくとも１つの液体を貯蔵するための手段（１０）と、少なくとも１つの乾燥飼料を貯蔵するための手段と、混合室（３０）と、第１の所定の量の少なくとも１つの液体を混合室（３０）に投与および移送するための手段と、第２の所定の量の少なくとも１つの乾燥飼料を混合室（３０）に投与および移送するための手段（４０）と、混合室（３０）に少なくとも一時的に配置され、混合段階の間、少なくとも１つの液体を少なくとも１つの乾燥飼料とかき回して混合して、ペーストの形態の配給飼料を形成する混合手段（５０）と、分配段階の間に分配するために、混合室からペーストの形態の配給飼料を容器（６０）内へ分配するように構成された手段（５０）とを備える。
2018537115.tif 000002
【特許請求の範囲】
【請求項１】
動物用の飼料を調合するための装置であって、
少なくとも１つの液体を貯蔵するための手段と、
少なくとも１つの乾燥飼料を貯蔵するための手段と、
混合室（３０）と、
第１の所定の量の前記少なくとも１つの液体を前記混合室（３０）に投与および移送するための手段と、
第２の所定の量の前記少なくとも１つの乾燥飼料を前記混合室（３０）に投与および移送するための手段と、
前記混合室（３０）に少なくとも一時的に配置され、混合段階の間、前記少なくとも１つの液体を前記少なくとも１つの乾燥飼料とかき回して混合して、ペーストの形態の配給飼料を形成する混合手段と、
分配段階の間、前記混合室（３０）からペーストの形態の前記配給飼料を容器（６０）内へ分配するように構成された分配手段と
を備える動物用の飼料を調合するための装置。
【請求項２】
前記混合室（３０）に対して可動である少なくとも１つの部品（５０）を備え、前記部品（５０）は、
混合手段として使用するために、前記配給飼料の混合段階の間、混合する動きに駆動されるように構成され、
分配手段として使用するために、前記分配段階の間、排出する動きに駆動されるように構成され、前記排出する動きの少なくとも１つの成分は前記混合する動きの成分の反対方向である、請求項１に記載の動物用の飼料を調合するための装置。
【請求項３】
前記混合室（３０）に対して回転し、混合手段として使用するために、前記配給飼料の混合段階の間、混合する動きに回転駆動されるように構成された少なくとも１つの可動部品（５０）を備え、前記少なくとも１つの可動部品（５０）は、分配手段として使用するために、前記配給飼料の分配段階の間、前記混合する動きと反対方向の排出する動きに回転駆動されるように構成された、請求項１に記載の動物用の飼料を調合するための装置。
【請求項４】
前記少なくとも１つの可動部品（５０）は、ハブ（５３）と、少なくとも１つのパドル（５１）と、前記少なくとも１つのパドル（５１）を前記ハブ（５３）に接続する少なくとも１つの枝部（５２）とを備え、前記少なくとも１つのパドル（５１）は、少なくとも、
前記混合する動きの間、前記少なくとも１つの液体を前記少なくとも１つの乾燥飼料と混合するように構成された第１の前縁（５１ａ）と、
前記排出する動きの間、前記ペーストを前記可動部品（５０）の周囲の方へ押すように構成された第２の前縁（５１ｂ）と
を備える、請求項２または３に記載の動物用の飼料を調合するための装置。
【請求項５】
前記少なくとも１つの枝部（５２）は、少なくとも、
前記混合する動きの間、前記混合室（３０）をこするように構成され、前記少なくとも１つのパドル（５１）との接合部に先端を形成する第１の前面（５２ａ）と、
前記排出する動きの間、前記混合室（３０）をこするように構成され、前記少なくとも１つのパドル（５１）との接合部に丸い後縁を形成する第２の前面（５２ｂ）と
を備える、請求項４に記載の動物用の飼料を調合するための装置。
【請求項６】
前記混合室（３０）の分配開口を開放するためのデバイスを備え、前記開放デバイスの係止を解除するための機構が設けられ、排出する動きになったとき、前記機構は、前記少なくとも１つの可動部品（５０）、またはその駆動部材によって制御される、請求項２乃至５のいずれか一項に記載の動物用の飼料を調合するための装置。
【請求項７】
少なくとも１つの飼料添加物を貯蔵するための手段と、第３の所定の量の前記少なくとも１つの添加物を前記混合室（３０）に分配するための手段とを備える請求項１乃至６のいずれか一項に記載の動物用の飼料を調合するための装置。
【請求項８】
第２の所定の量の前記少なくとも１つの乾燥飼料を投与および移送するための前記手段は、モータに結合された少なくとも１つのウォームねじ（４０）を備える、請求項１乃至７のいずれか一項に記載の動物用の飼料を調合するための装置。
【請求項９】
餌を与える動物に関する生物学的データおよび／または生理学的データを取得するための少なくとも１つのユニットを備える請求項１乃至８のいずれか一項に記載の動物用の飼料を調合するための装置。
【請求項１０】
動物の前記生物学的データおよび／もしくは前記生理学的データにしたがって、第１の所定の量の前記少なくとも１つの液体を投与および移送するための前記手段、ならびに／または第２の量の前記少なくとも１つの乾燥飼料を投与および移送するための前記手段を制御するように構成された少なくとも１つの制御ユニットを備える請求項９に記載の動物用の飼料を調合するための装置。
【請求項１１】
前記少なくとも１つの液体の前記貯蔵手段は、前記動物用の飼料を調合するための装置と、前記配給飼料が分配される前記容器（６０）とを支持するように配置された台を形成する、請求項１乃至１０のいずれか一項に記載の動物用の飼料を調合するための装置。
【請求項１２】
第１の所定の量の前記少なくとも１つの液体を前記混合室（３０）に投与および移送するための前記手段は、前記少なくとも１つの液体を貯蔵するための前記手段の中に所定の体積の液体を残すように構成された、請求項１１に記載の動物用の飼料を調合するための装置。
【発明の詳細な説明】
【技術分野】
【０００１】
本発明は一般に、動物用の飼料を調合するための家庭向けの装置に関する。
【背景技術】
【０００２】
飼育動物用の飼料を調合するためのデバイスは、例えば、特許文献１に記載されているものなど、従来技術で知られている。特に、このシステムは、固体の形態だけの飼料を提供するという欠点を有し、これは特定の動物には適さない。
【先行技術文献】
【特許文献】
【０００３】
【特許文献１】米国特許第８５１１５１９号明細書
【発明の概要】
【発明が解決しようとする課題】
【０００４】
この発明の１つの目標は、前述の従来技術の文献の欠点に対応することであり、特に、まず、食欲をそそる配給飼料を調合するように構成された飼育動物用の飼料を調合するための装置を提案することである。
【課題を解決するための手段】
【０００５】
このために、本発明の第１の態様は、動物用の飼料を調合するための装置に関し、本装置は、
−  少なくとも１つの液体を貯蔵するための手段と、
−  少なくとも１つの乾燥飼料を貯蔵するための手段と、
−  混合室と、
−  第１の所定の量の前記少なくとも１つの液体を混合室に投与および移送するための手段と、
−  第２の所定の量の前記少なくとも１つの乾燥飼料を混合室に投与および移送するための手段と、
−  混合室に少なくとも一時的に配置され、混合段階の間、前記少なくとも１つの液体を前記少なくとも１つの乾燥飼料とかき回して混合して、ペーストの形態の配給飼料を形成する混合手段と、
−  分配段階の間、混合室からペーストの形態の配給飼料を容器内へ分配するように構成された分配手段と
を備える。この発明による装置は、キッブルなどの乾燥飼料よりも動物にとっては食欲をそそるペーストの形態の配給飼料を基本成分（少なくとも１つの乾燥飼料と、水などの少なくとも１つの液体とを含む）から自動的に調合するように構成される。乾燥飼料は、粉末、細粒、薄片、またはキッブルの形態とすることができる。
【０００６】
したがって、本装置は、ペーストを分配するように構成され、典型的には、このようなペーストの粘度は、糊状であるが（最終的には広がる蜂蜜または糖蜜に比べても）液状ではない。例えば、調合されたペーストのサンプルを直径５０ｍｍ、高さ５０ｍｍのポリカーボネートまたはガラスのシリンダに満たすように入れて、直径３０ｍｍのステンレス鋼のプローブを１ｍｍ・ｓ-1の速度で押し込める場合、少なくとも５Ｎの力をかける必要がある。言い換えれば、調合された配給飼料は、液体の形態ではなく、ペーストを容器に分配したときに流出せずに３次元の形態に留まることができる。
【０００７】
本発明による装置を使用すると、「要求に応じて」かつ事前の処理なしに配給飼料を調合することが容易であることが理解される。実際、液体および乾燥飼料のための貯蔵手段が満たされているとき、機械を始動するだけで簡単に配給飼料を提供することができる。１週間分の食糧を調合するのに十分な液体および乾燥飼料の貯蔵容積を設けることは可能である。例えば、６リットルの水と２ｋｇの乾燥飼料を貯蔵することができる。
【０００８】
本装置の別の利点は、乾燥飼料を収容することができ、使用者が動物にとって最も適した乾燥飼料を選ぶことができるということである。
【０００９】
動物用の飼料を調合するための装置は、混合室に対して可動である少なくとも１つの部品を備えることが好都合であり、この部品は、
−  混合手段として使用するために、配給飼料の混合段階の間、混合する動きに駆動されるように構成され、
−  分配手段として使用するために、分配段階の間、排出する動きに駆動されるように構成され、
排出する動きの少なくとも１つの成分は混合する動きの成分の反対方向である。この可動部品を使用して、液体と乾燥飼料とを混合し、次いで、調合されたペーストを分配する。同じ部材が、調合サイクルにおいて２つの異なる機能を果たすので、これは経済的な手段となり、装置を簡素化する。
【００１０】
動物用の飼料を調合するための本装置は、混合室に対して回転し、混合手段として使用するために、配給飼料の混合段階の間、混合する動きに回転駆動されるように構成された少なくとも１つの可動部品を備えることが好都合であり、前記少なくとも１つの可動部品は、分配手段として使用するために、配給飼料の分配段階の間、混合する動きと反対方向の排出する動きに回転駆動されるように構成される。この可動部品は、液体と乾燥飼料とを混合し、次いで、調合されたペーストを分配するために使用される。同じ部材が、調合サイクルにおいて２つの異なる機能を果たすので、これは経済的な手段となり、装置を簡素化する。
【００１１】
混合室および／もしくは容器、ならびに／または、混合手段および／もしくは分配手段は、装置から取り外し可能であることが好都合である。このように、装置を分解し洗浄することは容易である。
【００１２】
前記少なくとも１つの可動部品は、ハブと、少なくとも１つのパドルと、前記少なくとも１つのパドルをハブに接続する少なくとも１つの枝部とを備えることが好都合であり、前記少なくとも１つのパドルは、少なくとも、
−  混合する動きの間、前記少なくとも１つの液体を前記少なくとも１つの乾燥飼料と混合するように構成された第１の前縁と、
−  排出する動きの間、ペーストを可動部品の周囲の方へ押すように構成された第２の前縁と
を備える。第１の前縁は、混合物を混合室の内側に戻す、すなわち、少なくとも１つの求心成分を有する送り運動をさせるような向きにすることができる。言い換えれば、パドルの第１の前縁は、混合室の内側の方を向く縁または斜面を有するブレードを形成することができる。さらに、第２の前縁は、混合物を混合室の外側の方へ押す、すなわち、少なくとも１つの求心成分を有する送り運動をさせるような向きにすることができる。言い換えれば、パドルの第２の前縁は、混合室の外側の方を向く縁または斜面を有するブレードを形成することができる。
【００１３】
前記少なくとも１つの枝部は、少なくとも、
−  混合する動きの間、混合室をこするように構成され、前記少なくとも１つのパドルとの接合部に先端を形成する第１の前面と、
−  前記排出する動きの間、混合室をこするように構成され、前記少なくとも１つのパドルとの接合部に丸い後縁を形成する第２の前面と
を備えることが好都合である。枝部の第１の前面とパドルとの間に形成された先端は、混合物を混合室の内側に戻すように構成され、一方、枝部の第２の前面とパドルとの間に形成された丸い後縁は、混合物を混合室の外側に押すように構成されている。
【００１４】
動物用の飼料を調合するための本装置は、混合室の分配開口を開放するためのデバイスを備えることが好都合であり、開放デバイスの係止を解除するための機構が設けられ、排出する動きになったとき、その機構は、前記少なくとも１つの可動部品、またはその駆動部材によって制御される。言い換えれば、本装置は、混合する動きで混合手段を駆動するように構成された駆動機構を備え、そのように行うことで分配開口を閉じたままにする。駆動機構は、（混合の動きとは反対の分配の動きで分配手段を駆動するために）その駆動方向を変えるとすぐに、分配開口を開放するためにデバイスの係止を解除する。
【００１５】
前記少なくとも１つの液体の貯蔵手段は、動物用の飼料を調合するための装置と、配給飼料が分配される容器とを支持するように配置された台を形成することが好都合である。これを実施すると、動物は床まで頭を下げて食べる必要がなくて楽になるように、装置、特に容器を持ち上げることができる。
【００１６】
第１の所定の量の前記少なくとも１つの液体を混合室に投与および移送するための手段は、前記少なくとも１つの液体を貯蔵するための手段の中に所定の体積の液体を残すように構成されることが好都合である。このような量の水を装置の下方に常に入れておくことはバラストを積むことになり、このようにして装置を安定させる。滑り止めパッドのある足もまた設けることができる。
【００１７】
第１の所定の量の前記少なくとも１つの液体を混合室に投与および移送するための手段は、前記少なくとも１つの液体を貯蔵するための手段の底から所定の距離で配置された、液体を吸引するためのノズルを備えることが好都合である。
【００１８】
第２の所定の量の前記少なくとも１つの乾燥飼料を投与および移送するための手段は、モータに結合された少なくとも１つのウォームねじを備えることが好都合である。このようなウォームねじは、その回転速度および作動時間を制御することによって乾燥飼料を正確に投与することを可能にする。
【００１９】
動物用の飼料を調合するための装置は、少なくとも１つの飼料添加物を貯蔵するための手段と、第３の所定の量の前記少なくとも１つの添加物を混合室に分配するための手段とを備えることが好都合である。このような添加物については、その調合は、動物の年齢、重量、健康状態などにしたがって調節することができる。
【００２０】
動物用の飼料を調合するための装置は、餌を与える動物に関する生物学的データおよび／または生理学的データを取得するための少なくとも１つのユニットを備えることが好都合である。これは、使用者の動物にしたがってその調合を調節しその動物に合わせることを可能にする。
【００２１】
取得ユニットは、生物学的データおよび／または生理学的データを無線で、例えば、電波または赤外線によって受け取るように構成されることが好都合である。取得ユニットは、無線周波数（ｗｉｆｉまたはＢｌｕｅｔｏｏｔｈ（登録商標））によって電話もしくはスマートフォンなどの携帯電子デバイス、または秤と通信することができると考えられる。そのときは、受け取った情報にしたがって配給飼料（重量、成分）を調節して動物の健康を監視するシステムを形成することが可能である。
【００２２】
生物学的データおよび／または生理学的データは、例えば、動物の重量、身長、品種、動物の種類、年齢、健康状態、性別、妊娠している雌かどうかなどを含むことができる。これは、使用者の動物にしたがってその調合を調節しその動物に合わせることを可能にする。
【００２３】
動物用の飼料を調合するための装置は、動物の生物学的データおよび／もしくは生理学的データにしたがって、第１の所定の量の前記少なくとも１つの液体を投与および移送するための手段、ならびに／または第２の量の前記少なくとも１つの乾燥飼料を投与および移送するための手段を制御するように構成された少なくとも１つの制御ユニットを備えることが好都合である。使用者の手を介さずに、日の特定の時点に本装置を作動させることを考えることもまたできる。
【００２４】
非制限的な例を与え、添付の図によって例示された本発明の実施形態の以下の詳細な説明を読むことによって、この発明の他の特性および利点はよりはっきりと分かるであろう。
【図面の簡単な説明】
【００２５】
【図１】図１は、本発明による装置の斜視図である。
【図２】図２は、図１の装置の変形の斜視図である。
【図３】図３は、図１または図２の装置の混合手段および分配手段を形成するように構成された可動部品の斜視図である。
【図４】図４は、図３の可動部品の上面図である。
【図５】図５は、図３の可動部品の底面図である。
【発明を実施するための形態】
【００２６】
図１は、動物用の飼料を調合するための装置を示し、本装置は、容器１０の形態の、少なくとも１つの液体を貯蔵するための手段と、ホッパー２０の形態の、少なくとも１つの乾燥飼料を貯蔵するための手段と、混合室３０と、ウォームねじ４０の形態の、第２の所定の量の少なくとも１つの乾燥飼料を混合室に投与および移送するための手段と、本装置によって調合された配給飼料を収容するための容器６０とを備える。
【００２７】
それは、ポンプ（図示せず）の形態の、第１の所定の量の少なくとも１つの液体を混合室に投与および移送するための手段と、図３から図５に示された可動部品５０の形態の、混合室に少なくとも一時的に配置され、混合段階の間、少なくとも１つの液体を少なくとも１つの乾燥飼料とかき回して混合して、ペーストの形態の配給飼料を形成する混合手段と、これもまた可動部品５０の形態の、混合室からペーストの形態の配給飼料を容器内へ分配するように構成された分配手段とを有することもまた予想される。
【００２８】
したがって、ホッパー２０は、薄片、粉末、または細粒の形態の乾燥飼料を収めて、容器１０に初めに収められた水と混合室３０内で混合されるように構成される。したがって、このために、本装置は、容器１０から水を吸い上げて混合室に輸送するように構成されたポンプを備える。ウォームねじ４０は、ホッパー２０内の乾燥飼料を出して混合室内に落とすように設けられている。
【００２９】
均質な配給飼料を調合するために、投与する水および乾燥飼料の量もまた予想される。水に対しては、定められた吸い上げ時間の間、容積ポンプ、または水の流量が知られているポンプを使用して作動させることが考えられる。乾燥飼料に対しては、定められた投与時間の間、ウォームねじを作動させる。したがって、第１の量の水は、第２の量の乾燥飼料とともに混合室３０内に注がれる。ペーストを得ることができる所定の投与になるように液体の第１の量は乾燥飼料の第２の量に比例することは理解される。
【００３０】
次に、動物にとって食欲をそそる配給飼料を形成することができるのに十分な粘度を有するペーストを形成するために、混合室３０内で混合が行われる。このために、可動部品５０（図３から図５で見ることができる）は、かたまりのないペーストを得るのに十分長い混合時間、例えば、少なくとも５分間、混合室内で回転する。混合している間、可動部品５０は、水を乾燥飼料と適切に混合するように混合回転方向に回る。
【００３１】
次いで、可動部品５０は、混合回転方向とは反対方向の排出回転方向に回転駆動されて、調合されたペーストを混合室の外側壁の方へ向ける。外側壁には、分配開口が配置され、したがって、この分配開口を通ってペーストが押し出され、または突き出され、ペーストが容器６０内に落とされる。
【００３２】
言い換えれば、可動部品５０は、水と乾燥飼料とを混合するために１つの方向に回り、特定の時間後、その駆動モータは停止し、ペーストを混合室３０の外側に分配するために回転方向を変える。これによって、特に、装置の複雑さとともに製造コストが限定される。
【００３３】
さらに、混合室は、混合段階の間は閉じ、分配段階の間は開いている分配開口を備える。したがって、可動部品５０は、分配段階の間、ペーストを分配開口の方へ向けるように構成される。
【００３４】
次いで、飼料を配給しようとする動物は、装置上に置かれた容器６０内の飼料を直接食べることができる、または使用者は、容器６０を持って適切な場所で動物に与えることができる。言い換えれば、容器６０は、装置の一部分とすることができる、かつ、容器６０を取り外すことができて、動物が装置の近くでない他の場所で食べることができる、または、使用者が餌を与える動物をいく匹か所有していれば、いくつかの容器６０を満たすことができる。もちろん、容器６０の存在を検知するためにセンサを設けて、容器６０が装置内または装置上に取り付けられていなければペーストを分配しないようにすることができる。
【００３５】
水と乾燥飼料とを混合する前に、または混合中に、カートリッジ７０の形態の、添加物を混合室に加えるために少なくとも１つの食物添加物を貯蔵するための手段を有することもまた予想される。動物の健康のために、ビタミン、ミネラル、薬物、または任意の他の製品を加えることもまた予想することができる。カートリッジ７０は、１度だけ使用される１回投与式のカートリッジ、または、配給飼料に加えられるのがその中身の一部分にすぎない多数回投与式のカートリッジとすることができる。
【００３６】
もちろん、本装置は、カートリッジ７０からの添加物の投与を管理するために制御部材を備える。例えば、可撓性のあるカートリッジを備えるピストン、または投与ポンプを有することが考えられる。
【００３７】
図２は、図１の装置の代替を示し、唯一の違いは容器１０である。実際、後者は、装置自体の下に容器６０を持ち上げるように配置された部分を備え、それによって、動物は床まで頭を下げて食べる必要がないので動物はより楽になる。
【００３８】
さらに、このようにすると容器１０内に収容された水は、重量が容器内に貯蔵された水の重量となる台の形態で安定性を確実にする。
【００３９】
図３は、可動部品５０の斜視図である。後者は、中央部分のハブ５３と、それぞれが枝部５２によってハブ５３に接続された３つのパドル５１とを備える。
【００４０】
図４は、上から見た可動部品５０を示し、図５は、下から見た可動部品５０を示す。
【００４１】
上記で説明したように、可動部品５０は、水と乾燥飼料とを混合するために混合回転の動きで回転駆動することができる。混合回転の動きは、図４では、時計回り方向（したがって、図５では、反時計回り）である。
【００４２】
可動部品はまた、ペーストを混合室３０から押し出すために、排出回転の動きで回転駆動することができる。この排出回転の動きは、図５では、時計回り方向（したがって、図４では、反時計回り）である。
【００４３】
したがって、パドル５１および枝部５２は非対称となって、回転方向に応じて異なる機能を果たす。このために、各パドル５１は、時計回り回転（図４に関して）中、ペーストを混合し、また、混合物を混合室３０の内側に戻すように構成された第１の前縁５１ａを備える。この機能を果たすために、各パドル５１の第１の前縁５１ａは、回転の動き（円形である）に接する外側面を有するブレードと、混合物を混合室３０の内側の方へ向けるように傾けられた、または方向づけられた内側面とを形成している。
【００４４】
枝部５２では、後者は、混合室３０をこすって、ハブ５３に接続するブレードとともに先端を形成する第１の前面５２ａを備える。この先端は、パドルの第１の前縁５１ａと組み合わさって、混合物を混合室３０の内側に戻す。したがって、混合段階は効率的である。図４は、時計回り方向に約１時の位置に、三日月または先端の形態の枝部５２の第１の前面５２ａを太字で示している。
【００４５】
排出の動きに関しては、パドル５１は、反時計回りの回転方向（図４に対して）に動いている間、ペーストを混合室３０の外側の方へ排出するように構成された第２の前縁５１ｂを備える。したがって、各パドル５１の外側面は、ペーストを混合室３０の壁の方へ案内するように外側の方へ斜めになったブレードである。
【００４６】
さらに、枝部５２はそれぞれ、対応するパドルとともに丸い後縁を有する、混合室３０をこするように、特に、混合物を混合室３０の周囲の方へ案内するように構成された第２の前面５２ｂを備える。図５は、時計回り方向に約６時の位置の枝部５２に対する第２の前面５２ｂを太字で示している。
【００４７】
この明細書で説明した本発明の様々な実施形態に対して、添付の特許請求の範囲によって規定された本発明の文脈から逸脱することなく、当業者には明らかな様々な修正および／または改善を行うことができることは理解されよう。
【図１】
2018537115.tif 000003
【図２】
2018537115.tif 000004
【図３】
2018537115.tif 000005
【図４】
2018537115.tif 000006
【図５】
2018537115.tif 000007
【国際調査報告】
2018537115.tif 000008
2018537115.tif 000009
2018537115.tif 000010
2018537115.tif 000011
2018537115.tif 000012
2018537115.tif 000013